(57)【要約】【課題】  濡れた手や整髪料が付着した手で把持しても滑り難く、また水や整髪料などで汚れても、その汚れを落とすのが簡単であり、しかも毛髪をセットしたりカットするときに素早く行えるための目盛りをも有した櫛を提供する。【解決手段】  一定間隔をおいて上下または上下の何れかに複数の尖端部１ａを形成した長溝１を、櫛本体２の背部２ａの表裏に略横一直線状に設け、さらに前記長溝１内に適宜間隔をおいて複数個の貫通孔３を設け、これら貫通孔３を経て、前記長溝１に摩擦係数が大きい材料を充填することにより、滑止め部４を設けたものとしている。【選択図面】    図３
2005304720.tif 000002
【特許請求の範囲】
【請求項１】
一定間隔をおいて上下または上下の何れかに複数の尖端部（１ａ）を形成した長溝（１）を、櫛本体（２）の背部（２ａ）の表裏に略横一直線状に設け、さらに前記長溝（１）内に適宜間隔をおいて複数個の貫通孔（３）を設け、これら貫通孔（３）を経て、前記長溝（１）に摩擦係数が大きい材料を充填することにより、滑止め部（４）を設けたことを特徴とする櫛。
【請求項２】
前記櫛本体（２）の背部（２ａ）の一側端部に把手部（２ｂ）を設け、前記長溝（１）がこれら背部（２ａ）と把手部（２ｂ）の間に広面積部（１ｂ）を延設したものとし、この広面積部（１ｂ）に充填した摩擦係数が大きい材料が広面積の滑止め部（４）を形成するようにしたことを特徴とする請求項１記載の櫛。
【請求項３】
前記尖端部（１ａ）を、長溝（１）の上下に１ｃｍ間隔に、上下互いに５ｍｍずつずらせて、交互になるように設けたことを特徴とする請求項１記載の櫛。
【発明の詳細な説明】
【技術分野】
【０００１】
この発明は、毛髪をセットするときに使用したり、毛髪を鋏や剃刀でカットするときに使用する櫛に関するものである。
【背景技術】
【０００２】
従来、この種の櫛には、例えば図１１に示したように、櫛本体１２の背部１２ａの表面に尺度用標線１３の長さの目盛（例えば１ｃｍ毎に標線１３を付形し５ｃｍ毎に長さの数字を付記）を設けたものが存在する（特許文献１）。
【０００３】
このように構成した櫛は、前記尺度用標線１３の長さの目盛を地肌より毛髪に当接して毛髪の長さを所望の長さに合わせて切りそろえることができ、正確な調髪が何人にも容易になし得るという効果を有している。
【０００４】
さらに、この種の櫛には、例えば図１２に示したように、櫛本体２２の把持部２２ｂの基側に複数条の打ち抜き細溝２３を設けると共に、櫛歯側に適当な大きさの打ち抜き穴２４を穿設したものが存在する（特許文献２）。
【０００５】
このように構成した櫛は、把持部２２ｂを握ったときその把持部２２ｂは打ち抜き穴２４があるため、手の掌にしっかりと握ることができ、また複数条の打ち抜き細溝２３あるい前記打ち抜き穴２４が滑り止めの役目を果たし、整髪に支障をきたすことはないという効果を有している。
【特許文献１】実開昭５７−５５４０５号全文明細書（第１、３頁、第１図）
【特許文献２】登録実用新案第３０５５１７４号公報（第１、４頁、図１）
【発明の開示】
【発明が解決しようとする課題】
【０００６】
しかしながら、図１１に示した従来の櫛では、前記したように目盛を設けてはいるものの滑止め部が設けられていないため、非常に滑り易いという問題点を有していた。
【０００７】
また、図１２に示した従来の櫛では、前記したように目盛を設けてはいないものの、滑止め部が設けられているため滑り難くなっているが、その滑止め部を複数条の打ち抜き細溝２３や適当な大きさの打ち抜き穴２４としているので、これら打ち抜き細溝２３や打ち抜き穴２４を指で押さえ、指掛かりとしても、未だ滑り易いという問題点を有していた。さらに、この従来の櫛では、濡れた手や整髪料が付着した手で前記打ち抜き細溝２３を指で押さえると、水や整髪料がその打ち抜き細溝２３に溜まり易く、さらに埃が入って、この埃が水や整髪料とともに固まってしまうことがあり、その汚れを落とすのが大変面倒であるという問題点を有していた。
【０００８】
そこで、この発明は、上記従来の問題点を解決することをその課題としており、濡れた手や整髪料が付着した手で把持しても滑り難く、また水や整髪料などで汚れても、その汚れを落とすのが簡単であり、しかも毛髪をセットしたりカットするときに素早く行えるための目盛りをも有した櫛を提供することを目的としてなされたものである。
【課題を解決するための手段】
【０００９】
そのため、この発明の櫛は、一定間隔をおいて上下または上下の何れかに複数の尖端部１ａを形成した長溝１を、櫛本体２の背部２ａの表裏に略横一直線状に設け、さらに前記長溝１内に適宜間隔をおいて複数個の貫通孔３を設け、これら貫通孔３を経て、前記長溝１に摩擦係数が大きい材料を充填することにより、滑止め部４を設けたものとしている。
【００１０】
さらに、この発明の櫛は、前記櫛本体２の背部２ａの一側端部に把手部２ｂを設け、前記長溝１がこれら背部２ａと把手部２ｂの間に広面積部１ｂを延設したものとし、この広面積部１ｂに充填した摩擦係数が大きい材料が広面積の滑止め部４を形成するようにしている。
【００１１】
また、この発明の櫛は、前記尖端部１ａを、長溝１の上下に１ｃｍ間隔に、上下互いに５ｍｍずつずらせて、交互になるように設けたものとしている。
【発明の効果】
【００１２】
この発明は、以上に述べたように構成されているので、濡れた手や整髪料が付着した手で把持しても滑り難く、また水や整髪料などで汚れても、その汚れを落とすのが簡単であり、しかも目盛りも併せて設けたので、毛髪をセットしたりカットするときに素早く行うことができるものとなった。
【００１３】
さらに、この発明では、滑止め部が櫛本体の背部に堅固に設けられたものとなり、長年の使用や手荒な使用によっても、滑止め部が櫛本体の背部から容易に外れてしまうようなことはなく、丈夫なものとなった。
【発明を実施するための最良の形態】
【００１４】
以下、この発明の櫛を実施するための最良の形態について、図面に基づき詳細に説明する。
【００１５】
図１〜５に示したこの発明の櫛は、毛髪のカット用の櫛Ｃ1 であり、図６〜１０に示したこの発明の櫛は、毛髪のセット用の櫛Ｃ2 である。何れの櫛Ｃ1 、Ｃ2 においても、一定間隔をおいて上下に複数の尖端部１ａを形成した長溝１を、櫛本体２の背部２ａの表裏に略横一直線状に設けている。さらに、前記長溝１内には、適宜間隔をおいて複数個の貫通孔３を設けている。そして、これら貫通孔３を経て、前記長溝１に摩擦係数が大きい材料を充填することにより、滑止め部４を設けたものとしている。なお、この滑止め部４は、櫛本体２の背部２ａと面一にするか、櫛本体２の背部２ａから少し盛り上がったものとしている。
【００１６】
前記カット用の櫛Ｃ1 は、櫛本体２の背部２ａの中央部に、商品ロゴなどを表示するための平坦部５を設けており、セット用の櫛Ｃ2 は、櫛本体２の背部２ａの一側端部に把手部２ｂを設けている。また、前記カット用の櫛Ｃ1 およびセット用の櫛Ｃ2 は、櫛本体２の背部２ａの下端にそれぞれ多数の櫛歯２ｃを列設したものとしている。なお、セット用の櫛Ｃ2 の櫛歯２ｃの間隔は、全体に同間隔としているが、カット用の櫛Ｃ1 の櫛歯２ｃの間隔は、中央から左側を狭く、中央から右側を広くするというように、左右の何れか一方を狭く、他方を広くしたものとしている。
【００１７】
前記長溝１は、図１〜５に示したカット用の櫛Ｃ1 では、背部２ａの中央部において前記平坦部５を間に挟んで分断したものとしているが、分断せずに略横一直線状に設けてもよい。また、前記長溝１は、図６〜１０に示したセット用の櫛Ｃ2 では、背部２ａと把手部２ｂの間に広面積部１ｂを延設したものとしている。この広面積部１ｂは、略三角形状などとしており、充填した摩擦係数が大きい材料が略三角形などとなる広面積の滑止め部４を形成するようにしている。このようにした滑止め部４は、指を当てた場合の接触面積が広くなり、より滑り難くなる。なお、この発明の櫛において、前記広面積部１ｂは、必ずしも設けなくてもよく、必要に応じて設ければよい。
【００１８】
前記尖端部１ａは、図示したように、長溝１の上下に１ｃｍ間隔に、上下互いに５ｍｍずつずらせて、交互になるように設けたものとしている。このようにした尖端部１ａは、実質的に５ｍｍ刻みとなり、デザイン的にもバランスが取れたものになる。また、この尖端部１ａは、図示していないが、長溝１の上下に５ｍｍ間隔、または１ｃｍ間隔にし、上下がずれないようにして設けたものとしてもよい。さらに、前記尖端部１ａは、図示したものでは、上下に設けたものとしているが、上下の何れかにのみ設けたものとしてもよい。このようにして設けた前記尖端部１ａは、５ｍｍ刻み、または１ｃｍ刻みの目盛りとなるが、前記尖端部１ａの間隔は自由に設定できるので、適宜の刻みとした目盛りにすることができる。
【００１９】
前記櫛本体２は、合成樹脂の一体成形品としているが、木を削って作製した木製品としてもよい。また、場合によっては、前記櫛本体２は、金属鋳造品とすることもできる。
【００２０】
前記貫通孔３は、長溝１内に適宜間隔をおいて複数個設けたものとすればよいが、図示したように、尖端部１ａの間隔に合わせて、等間隔に複数個設けたものとしてもよい。
【００２１】
前記滑止め部４となる摩擦係数が大きい材料としては、ゴム状弾性を有する合成樹脂、天然ゴム、各種の合成ゴム、再生ゴムなどが使用される。この摩擦係数が大きい材料を長溝１に充填するには、溶融状態にしたこれら材料を貫通孔３を経て、表裏の長溝１に流し込んで固めることにより行われる。
【００２２】
以上のように構成したこの発明の櫛は、図１〜５に示したカット用の櫛Ｃ1 では、間隔の広い櫛歯２ｃ側または間隔の狭い櫛歯２ｃ側の背部２ｂに設けた滑止め部４を親指と人差指で掴み、その他の指を前記滑止め部４に押し当てておけば、濡れた手や整髪料が付着した手であっても、滑ることなく使用することができる。さらに、図６〜１０に示したセット用の櫛Ｃ2 では、把持部２ｂを中指、薬指、小指で掴み、略三角形の滑止め部４を親指と人差指で掴めば、濡れた手や整髪料が付着した手であっても、滑ることなく使用することができる。
【００２３】
この場合、前記櫛本体２に設けた滑止め部４は、櫛本体２の背部２ａと面一にするか、櫛本体２の背部２ａから少し盛り上がったものとしているので、水や整髪料などで汚れても、ティッシュペーパーなどで拭いたり、水で軽く洗えば、その汚れを簡単に落とすことができる。さらに、前記櫛本体２に設けた滑止め部４は、貫通孔３を経て表裏の長溝１に流し込んで固めたものとしているので、指で強く掴んだり、指を強く押し当てたりしても、櫛本体２から取れてしまうようなことはない。また、前記櫛本体２に略三角形の滑止め部４を設けたものでは、掴んだ指との接触面積が広くなり、より滑り難いものとなる。
【図面の簡単な説明】
【００２４】
【図１】この発明の櫛の一実施形態を示す正面図である。
【図２】図１中のＡ−Ａ線による断面図である。
【図３】図１に示したこの発明の櫛に滑止め部を未だ取り付けていない状態の正面図である。
【図４】図３に示した状態のこの発明の櫛の要部を拡大した正面図である。
【図５】図３中のＢ−Ｂ線による断面図である。
【図６】この発明の櫛の他の実施形態を示す正面図である。
【図７】図６中のＣ−Ｃ線による断面図である。
【図８】図６に示したこの発明の櫛に滑止め部を未だ取り付けていない状態の正面図である。
【図９】図８に示した状態のこの発明の櫛の要部を拡大した正面図である。
【図１０】図８中のＤ−Ｄ線による断面図である。
【図１１】従来の櫛の一例を示す正面図である。
【図１２】従来の櫛の他の例を示す正面図である。
【符号の説明】
【００２５】
１  長溝
１ａ  尖端部
１ｂ  広面積部
２  櫛本体
２ａ  背部
２ｂ  把手部
３  貫通孔
４  滑止め部
【図１】
2005304720.tif 000003
【図２】
2005304720.tif 000004
【図３】
2005304720.tif 000005
【図４】
2005304720.tif 000006
【図５】
2005304720.tif 000007
【図６】
2005304720.tif 000008
【図７】
2005304720.tif 000009
【図８】
2005304720.tif 000010
【図９】
2005304720.tif 000011
【図１０】
2005304720.tif 000012
【図１１】
2005304720.tif 000013
【図１２】
2005304720.tif 000014